(57)【要約】【課題】  原稿保持部材を紛失することなく、原稿保持部材が不要の際は設置の省スペース化を図ることができる画像読取装置を提供する。【解決手段】  原稿テーブル１と、原稿テーブル１の上面に隙間を設けて配置される画像読取センサ２を備え、長尺巻き取り原稿を原稿テーブル１と画像読取センサ２の間を通過させる過程で読み取る画像読取装置において、ロール状の原稿を保持し、かつ原稿テーブル１下方に移動可能な原稿保持部材４を原稿テーブル端部に備えた。【選択図】        図１
2006298545.tif 000002
【特許請求の範囲】
【請求項１】
上面にて搬送される原稿をガイドする原稿テーブルと、該原稿テーブル上面との間に隙間を設けて配置される画像読取センサと、ロール状の長尺原稿本体を保持しつつ原稿を原稿テーブル上面に送り出すために原稿テーブル端部に対して着脱自在に取付けられる原稿保持部材と、を備え、前記長尺原稿本体から引き出された原稿が前記隙間を通過する過程でその画像を前記画像読取りセンサにより読取る構成を備えた画像読取装置において、前記原稿保持部材は、原稿テーブルにより一部を支持された状態で原稿テーブル上面より下方へ退避可能に構成されていることを特徴とする画像読取装置。
【請求項２】
請求項１記載の画像読取装置において、前記原稿保持部材は小径の金属棒にて形成され、原稿の進行方向に伸びる一対の脚部と、一対の脚部の長手方向後端部を上方に湾曲し且つロール状の長尺原稿本体を一対の脚部と共に保持する保持湾曲部と、を有し、一方の脚部を支軸として保持湾曲部を原稿テーブル下方に退避させた状態で原稿保持部材が原稿テーブル下方に移動するよう構成されていることを特徴とする画像読取装置。
【請求項３】
請求項１記載の画像読取装置において、前記原稿テーブル下方に移動した状態の原稿保持部材を保護する保護カバーを設けたことを特徴とする画像読取装置。
【発明の詳細な説明】
【技術分野】
【０００１】
本発明は、原稿テーブルと、原稿テーブルの上面に隙間を設けて配置される画像読取センサを備え、長尺巻き取り原稿を原稿テーブルと画像読取センサの間を通過させる過程で読み取る画像読取装置に関する。
【背景技術】
【０００２】
従来の長尺巻き取り原稿を読み取る画像読取装置を図４に示す。この画像読取装置は、原稿テーブル１と、原稿テーブル１の上面との間に所要の通紙用隙間を設けて配置される画像読取センサ２と、原稿テーブル１端面の取り付け穴３に着脱自在に取り付けられる原稿保持部材４とを備えている。原稿保持部材４は原稿テーブル１の幅方向に複数取り付けられ、読み取り前のロール状の原稿を保持している。
原稿保持部材４に保持されている原稿先端が原稿テーブル１上を矢印ｚ方向に進行する過程で、原稿画像が画像読取センサ２によって読み取られる。
【発明の開示】
【発明が解決しようとする課題】
【０００３】
上述したように、読み取り前のロール状の原稿を保持している原稿保持部材４は、原稿テーブル１端面の取り付け穴３に着脱自在に取り付けられており、不要の際は原稿テーブル１から取り外し、設置の省スペース化を図っている。従って原稿テーブル１から取り外した原稿保持部材４を紛失するおそれがあった。
本発明は、原稿保持部材を紛失することなく、原稿保持部材が不要の際は設置の省スペース化を図ることができる画像読取装置を提供することを目的とする。
【課題を解決するための手段】
【０００４】
上記目的を達成するために、請求項１記載の発明は、上面にて搬送される原稿をガイドする原稿テーブルと、該原稿テーブル上面との間に隙間を設けて配置される画像読取センサと、ロール状の長尺原稿本体を保持しつつ原稿を原稿テーブル上面に送り出すために原稿テーブル端部に対して着脱自在に取付けられる原稿保持部材と、を備え、前記長尺原稿本体から引き出された原稿が前記隙間を通過する過程でその画像を前記画像読取りセンサにより読取る構成を備えた画像読取装置において、前記原稿保持部材は、原稿テーブルにより一部を支持された状態で原稿テーブル上面より下方へ退避可能に構成されていることを特徴とする。
請求項２記載の発明は、請求項１記載の画像読取装置において、原稿保持部材は小径の金属棒を加工して形成され、原稿の進行方向に伸びる一対の脚部と、一対の脚部の長手方向に対して上方に湾曲し、ロール状の原稿を一対の脚部と共に保持する保持湾曲部を有し、一方の脚部を支軸として保持湾曲部を原稿テーブル下方に位置するよう倒立させた状態で原稿保持部材が原稿テーブル下方に移動するよう構成されている画像読取装置を主要な特徴とする。
請求項３記載の発明は、請求項１記載の画像読取装置において、原稿テーブル下方に移動した状態の原稿保持部材を保護する保護カバーを設けた画像読取装置を主要な特徴とする。
【発明の効果】
【０００５】
本発明によれば、原稿テーブルと、原稿テーブルの上面との間に隙間を設けて配置される画像読取センサを備え、長尺巻き取り原稿を原稿テーブルと画像読取センサとの間の隙間に通過させる過程で読み取る画像読取装置において、ロール状の原稿を保持し、かつ原稿テーブル下方に移動可能な原稿保持部材を原稿テーブル端部に備えたことで、原稿保持部材を紛失することなく、原稿保持部材が不要の際は設置の省スペース化を図ることができる。
【発明を実施するための最良の形態】
【０００６】
以下、図面を参照して、本発明の実施形態を詳細に説明する。
図１は本発明の実施形態に係る画像読取装置において原稿保持部材が機能している状態を示す斜視図、図２は原稿保持部材が原稿テーブル下方に収容される途中の状態を示す斜視図、図３は原稿保持部材が原稿テーブル下方に収容された状態を示す斜視図である。
原稿テーブル１の搬送方向上流側端部（端面）には前述したように、読み取り前のロール状の原稿を保持する原稿保持部材４が取り付けられる。原稿保持部材４は小径の金属棒を加工して形成され、原稿の進行方向（図２の矢印ｚ方向）に伸びる第１の脚部１１及び第２の脚部１２と、第１の脚部１１及び第２の脚部１２の長手方向後端部を上方に湾曲させた保持湾曲部１３を有する。保持湾曲部１３は、ロール状の原稿を第１の脚部１１及び第２の脚部１２と共に保持する。
一方、原稿テーブル１の後端部には、第１の脚部１１、第２の脚部１２先端に直角に形成した曲げ部１１−１、１２−１を係止する第１の係止部材２１と第２の係止部材２２が設けてある。第１の係止部材２１は、原稿の進行方向（図２の矢印ｚ方向）に開口しており、その開口部に第１の脚部１１が挿通、嵌合されている。第１の脚部１１の先端の曲げ部１１−１は、第１の脚部１１が第１の係止部材２１から抜け落ちるのを阻止している。
また第２の係止部材２２は、原稿の進行方向と直角の方向（図２の矢印ｚ方向と直角の図１におけるｘ方向）に開口しており、その開口部に第２の脚部１２の曲げ部１２−１が嵌合している。この曲げ部１２−１は、第１の脚部１１に対してその距離が狭まるように第２の脚部１２をｘ方向へ撓ませることによって第２の係止部材２２から外れる。
第２の脚部１２の曲げ部１２−１が第２の係止部材２２から外れた状態で第１の脚部１１を支軸として、原稿保持部材４の保持湾曲部１３を図１の矢印Ａ方向（時計回り方向）に９０度回転させると図２に示すように、保持湾曲部１３が原稿テーブル１の上面より下方に退避する。この状態で原稿保持部材４を原稿テーブルを構成する部材の中空内部へ押し込めば、第１の脚部１１が、第１の係止部材２１の開口部に案内されながら原稿テーブル１の下方を奥側に移動し、図３に示すように原稿保持部材４を原稿テーブル１の端面より内側に退避させることができる。
【０００７】
原稿保持部材４を使用する必要のないときは、このように原稿保持部材４を原稿搬送経路の下方へ退避させるとともに、原稿テーブル１内部へ退避させることにより、画像読取装置の設置スペースを小さくする。原稿保持部材４を使用するときはこの退避状態から引き出して、９０度反時計回り方向に回転させて、第２の脚部１２の曲げ部１２−１を第２の係止部材２２の開口部に係止させればよい。また退避状態の原稿保持部材４の下方に保護カバー３１を設けて、原稿保持部材４が破損するのを保護している。
要するに、本発明は、上面にて搬送される原稿をガイドする原稿テーブル１と、原稿テーブル上面との間に隙間を設けて配置される画像読取センサ２と、ロール状の長尺原稿本体を保持しつつ原稿を原稿テーブル上面に送り出すために原稿テーブル端部に対して着脱自在に取付けられる原稿保持部材４と、を備え、更にロール状の長尺原稿本体から引き出された原稿が前記隙間を通過する過程でその画像を前記画像読取りセンサ２により読取る構成を備えた画像読取装置において、原稿保持部材４は、原稿テーブルにより一部を支持された状態で原稿テーブル上面より下方へ退避可能に構成されている。このため、原稿保持部材４を原稿テーブルから取り外すことによる紛失の虞を回避しつつ、使用する際には単に原稿テーブルに収容された原稿保持部材を所定の簡単な作業によって引き出して所要位置に位置決めすればよい。従って、使用時、非使用時におけるセット作業、退避作業が容易となり、便利である。
原稿テーブルの後端面に開口を設けて、原稿テーブルの中空内部に原稿保持部材を収納可能にすれば、更に便利である。この際、原稿テーブル内部が原稿保持部材の出し入れによって傷つくことを防止するために損傷する虞のある位置、範囲に任意の位置に弾性材料などから成る保護カバー３１を設けることが好ましい。
【図面の簡単な説明】
【０００８】
【図１】本発明の実施形態に係る画像読取装置において原稿保持部材が機能している状態を示す斜視図。
【図２】原稿保持部材が原稿テーブル下方に収容される途中の状態を示す斜視図。
【図３】原稿保持部材が原稿テーブル下方に収容された状態を示す斜視図。
【図４】従来の長尺巻き取り原稿を読み取る画像読取装置の斜視図。
【符号の説明】
【０００９】
１  原稿テーブル、２  画像読取センサ、４  原稿保持部材、１１  第１の脚部、１１−１  曲げ部、１２  第２の脚部、１２−１  曲げ部、１３  保持湾曲部、２１  第１の係止部材、２２  第２の係止部材
【図１】
2006298545.tif 000003
【図２】
2006298545.tif 000004
【図３】
2006298545.tif 000005
【図４】
2006298545.tif 000006